(57)【特許請求の範囲】
【請求項１】
フランシス水力タービンランナーであって、
トレーリングエッジとのジャンクションにおけるバンドの直径に対するランナーの回転軸に平行な方向に沿うバンドの長さの比率として１７％（０．１７）未満のバンド長さ比率を有するバンド；
クラウン；
クラウンからバンドまで延びている複数のランナーブレード；及び
ランナーブレードのリーディングエッジとバンドとの間のジャンクションを含み、
該ジャンクションは、ランナーの回転方向において、リーディングエッジとクラウンとの間のジャンクションの前を先行することを特徴とするフランシス水力タービンランナー。
【請求項２】
バンドとクラウンとの間に、ランナーブレードのリーディングエッジの方向に曲がっている湾曲部を有するランナーブレードのトレーリングエッジをさらに含む、請求項１に記載のフランシス水力タービンランナー。
【請求項３】
リーディングエッジが、負のすくい角を有する、請求項１又は２に記載のフランシス水力タービンランナー。
【請求項４】
バンド長さ比率が、１５％（０．１５）未満である、請求項１〜３のいずれかに記載のフランシス水力タービンランナー。
【請求項５】
フランシスタービンランナーであって、
ランナーの外周の直径に対するランナーの回転軸に平行な方向に沿う、外周におけるランナーブレードのエッジの高さの比率である外縁長さ比率として１７％（０．１７）未満の外縁長さ比率を有するランナーの外周；
クラウン；
ランナーのクラウンから外周まで延びている複数のランナーブレード；及び
ランナーの外周におけるそれぞれのランナーブレードのリーディングエッジのコーナーを含み、
該コーナーは、リーディングエッジがクラウンに接合するコーナーの回転方向において前にあることを特徴とするフランシスタービンランナー。
【請求項６】
ランナーの外周とクラウンとの間に、ランナーブレードのリーディングエッジの方向に曲がっている湾曲部を有するランナーブレードのトレーリングエッジをさらに含む、請求項５に記載のフランシスタービンランナー。
【請求項７】
リーディングエッジが、負のすくい角を有する、請求項５又は６に記載のフランシスタービンランナー。
【請求項８】
外縁長さ比率が、１５％（０．１５）未満である、請求項５〜７のいずれかに記載のフランシスタービンランナー。
【請求項９】
ブレードの最外縁エッジに取り付けられた環状バンドをさらに含む、請求項５〜８のいずれかに記載のフランシスタービンランナー。
【請求項１０】
フランシス水力タービンであって、
トレーリングエッジとのジャンクションにおけるバンドの直径に対する分配器の底部からバンドにおけるトレーリングエッジの取り付けポイントまで、ランナーの回転軸に平行な方向に沿って測定されたバンド長さの比率として１７％（０．１７）未満のバンド長さ比率を有するバンドと、クラウンと、クラウンからバンドまで延びているランナーブレードと、ランナーブレードのリーディングエッジとバンドとの間のジャンクションとを含むランナー；
ランナーの上流に位置するらせんケーシング；
ランナーとらせんケーシングとの間に位置する分配器；及び
ランナーから下流に位置するドラフトチューブを含み、
前記ジャンクションは、ランナーの回転方向において、リーディングエッジとクラウンとの間のジャンクションの前を先行することを特徴とするフランシス水力タービン。
【請求項１１】
バンドとクラウンとの間に、ランナーブレードのリーディングエッジの方向に曲がっている湾曲部を有するランナーブレードのトレーリングエッジをさらに含む、請求項１０に記載のフランシス水力タービン。
【請求項１２】
リーディングエッジが、負のすくい角を有する、請求項１０又は１１に記載のフランシス水力タービン。
【請求項１３】
バンド長さ比率が、１５％（０．１５）未満である、請求項１０〜１２のいずれかに記載のフランシス水力タービン。
【発明の詳細な説明】
【技術分野】
【０００１】
本発明は、水力タービン、例えばフランシスタービンに関し、特にフランシスタービンのランナーのブレード及びバンドに関する。
【開示の背景】
【０００２】
図１は、水力エネルギーをトルクに変換し、発電機（図示せず）を駆動するように構成された従来のフランシス水力タービン１を示す。水は、典型的には、らせんケーシング２を通り、タービン１の回転ランナー３を囲んでいる分配器１３へ流れる。分配器１３は、ステーベーン１３２及びガイドベーン１３０を有する。水は、垂直軸を有するタービン内で、水平方向に沿って一般にらせん運動でランナーへ流れる。水の回転速度によって、ランナーが駆動し、軸の周りを回転する。水がランナーを通って流れると、水の運搬成分（transport component）は、水平流から一般に垂直流出に変換される。ランナーから、水はランナーの下のドラフトチューブ５の垂直コーンへ流れる。
【０００３】
水平軸を有するタービンの場合、水は、一般にらせん運動でランナーの内側に流れる。水の回転速度によって、ランナーが駆動し、軸の周りを回転する。水がランナーを通って流れると、水は一般に水平流出に変換される。ランナーから水は流れ、ランナーの下流のドラフトチューブの水平コーンへ流れる。
【０００４】
フランシスタービンのランナー３は、バンド８に向かってランナー３の軸１１に沿って延びている回転面を有するクラウン６、及びクラウン６の回転面から環状バンド８まで外に延びているブレード７を典型的に含む。それぞれのブレード７は、リーディングエッジ及びトレーリングエッジを有する。これらのエッジの末端は、クラウン６及びバンド８に接合されている。ランナー３は、タービンにおける底部リング２２の上に配置されている。
【０００５】
水は、ランナー３に入り、ブレードのリーディングエッジの周りを流れ、ブレードの間を流れ、ブレードのトレーリングエッジを通過し、次にドラフトチューブ５へ流れる。
【０００６】
水の速度は、ランナーにおいて、クラウンの近くよりもバンドの近くで一般に速い。高速度の水流によって、バンドやバンドの近くにおいて比較的に高い水力摩擦を生じ、これがエネルギーの一部を摩擦で失わせるので、タービンの効率を減少させる。高速度の水によって、ランナーにおいて低静圧も引き起こされる。低静圧によって、ブレード、バンド及びクラウンの表面を損傷させ得るキャビテーションバブルの形成が引き起こされることがある。
【０００７】
水力タービンの分野において、ランナーバンドは、シュラウド又はリングとしても知られている。クラウンは、ハブとしても知られている。ブレードのリーディングエッジは、入口エッジ又は流入エッジとしても知られている。ブレードのトレーリングエッジは、ランナーブレードの出口エッジ又は流出エッジとしても知られている。本明細書では、これらの用語を、異なるランナー構成要素に関して互換的に使用することがある。
【０００８】
図２及び図３は、それぞれ、ランナー９の回転軸１１の周りを方向（Ｒ）で回転する例示的な従来のフランシスタービンランナー９の側面図及び底面図である。ランナー９は、ランナーブレード１０の環状列、環状バンド１２及びクラウン１４を含む。ランナー９は、クラウン１４から見たとき時計回りに回転する。クラウン１４は、回転軸１１に沿ってバンド１２に通常面する回転面を有する。クラウン１４における開口２３は、軸１１と同軸であり、発電機のためのシャフトを受け入れる。
【０００９】
図２は、バンド１２に重ね合されたブレード１０の末端１８を図示の目的で示す。ブレード１０の末端は、例えば溶接などでバンド１２に接合されるが、バンド１２を通って延びている必要はない。ブレード１０の末端１８は、ランナー９の実用的な実施態様において、バンド１２を通じて可視的でなくてもよい。
【００１０】
ブレード１０は、ランナー９のバンド１２とクラウン１４との間で環状列に配置されている。ブレード１０は、図１に示されているように、らせんケーシング２からの水を、バンドとクラウンとの間をドラフトチューブ５へと流れるように指向させる。
【００１１】
それぞれのブレード１０は、リーディングエッジ１６からトレーリングエッジ２０までの湾曲状に延びている同様の形状を有する。リーディングエッジ１６は、ランナー９への入口にあり、トレーリングエッジ２０は出口にある。疑似ストリームライン（pseudo-streamlines）１７、１９は、ブレード１０の形状を図示するためにブレード１０のイメージ上に描かれている。実線の疑似ストリームライン１７は、ブレード１０の吸い込みサイドに示され、破線の疑似ストリームライン１９は、ブレード１０の圧力サイドに示されている。ブレード１０の吸い込みサイドは、ランナーの回転（Ｒ）方向に向き、圧力サイドは回転（Ｒ）方向の逆に向く。それぞれの疑似ストリームライン１７、１９は、リーディングエッジ１６からトレーリングエッジ２０までのブレード１０の表面上に描かれている。
【００１２】
それぞれのブレード１０は、４つのコーナーＰ、Ｑ、Ｓ及びＴを有する。ブレード末端２１の２つのコーナーＰ及びＳはクラウン１４に接し、２つのコーナーＱ及びＴはバンド１２に接している。コーナーＰ、Ｓはクラウン１４の外表面に接している。コーナーＰはクラウン１４の上流領域の近くにあり、コーナーＳはクラウン１４の下流領域２５にある。ブレード末端１８のコーナーＱ及びＴはバンド１２に接しており、コーナーＱはバンド１２の第１リムに近接して位置しており、コーナーＴはバンド１２の第２リムの近くにある。
【００１３】
クラウン１４の外表面は、ブレード１０の末端２１を支持している。末端２１は溶接などでクラウン１４に接合されている。クラウン１４は、駆動シャフトを受け入れるための内部開口を有する。クラウン１４の外表面の部分２４は、流れ方向においてブレード１０のコーナーＳを越えて延びている。クラウン１４の部分２４は、ドラフトチューブ５に面している。
【００１４】
バンド１２は、ブレード１０の末端１８を支持している環状構造物である。バンド１２は、タービンランナー３の軸１１の方向に曲がっている湾曲部を有してもよい。湾曲部はブレード１０のエッジ１８に適合する。バンドは長さ（Ｌ）及び直径（Ｄ）を有する。長さ（Ｌ）は、分配器１３の底部１５からバンド８におけるトレーリングエッジＴまでの間で測定される距離である。直径（Ｄ）は、ランナー３の出口直径であり、トレーリングエッジＴとの接合部におけるバンド１２の直径である。正規化されたバンド長さは、本明細書において「バンド長さ比率」と呼ばれ、その長さの最小直径に対する比（Ｌ／Ｄ）によって特徴づけられる。
【００１５】
従来のランナーは、少なくとも１７％（０．１７）のバンド長さ比率を有し、これらは本明細書において「長いランナー」と称される。
【００１６】
本明細書において、「短いランナー」と称されるランナーは、１７％（０．１７）未満のバンド長さ比率を有する。短いランナーは、過去に試みられたことがあるが、重大なキャビテーションダメージを受け、ランナーを損傷させ、その水力効率を減少させていた。キャビテーションは、通常、長いブレードを備える長いバンドランナーにおいて過度ではない。従来の知見は、バンド及びブレードはキャビテーションを避けるために長くなければならないというものである。
【００１７】
長いランナーにおいて、ブレード及びバンドの長さは増加するので、ランナーの質量が増加する。長いランナーの水力効率は、より長いブレード及びバンドの湿潤表面積が増加して、水力摩擦損失が増加することによって影響を受ける。ランナーにおけるキャビテーションを減少させ、あるいはランナー能力を改善するための試みは、米国特許第６，１３５，７１６号及び４，４７９，７５７号の各明細書に開示されているが、ランナー能力を改善させ、かつランナーにおけるキャビテーションを減少させる必要性が依然として存在していた。
【開示の概要】
【００１８】
前方走行リーディングエッジ（forerunning leading edges）を備える短いブレードを有する短いランナーが発明された。短いランナーは、長いランナーと比較して少ない湿潤表面積を有し、これにより水力摩擦が減少し、能力が改善される。短いランナーはバンドを有するか、又はバンドレス（シュラウドレス）であることもある。
【００１９】
前方走行リーディングエッジにおいて、リーディングエッジは、リーディングエッジがランナーの回転方向において、クラウンと接合する場所の前で、バンドと接合する。前方走行リーディングエッジは、「逆リーディングエッジ」とも称される。
【００２０】
前方走行リーディングエッジは、ブレードの圧力負荷をバンドから離れてクラウンの方向にシフトさせる。負荷は、圧力サイドと吸い込みサイドとの間の圧力差の結果として、ブレードの表面上の種々の位置に適用される動水力（hydraulic force）を指す。負荷がシフトすることによって、ブレードは、バンドとクラウンとの間でより均一に負荷がかけられる。
【００２１】
ブレードの負荷をバンドから離れてシフトさせることは、バンド及びバンドの近くのブレード表面におけるキャビテーションリスクを減少させる。キャビテーションリスクを減少させることによって、短いブレードは実用的になる。他のブレードパラメーター、例えばブレード厚さ、ブレード角の分布（distribution）が、キャビテーションリスク、及びキャビテーションによるランナーへのダメージのリスクを減少させるために選択されることがある。
【００２２】
前方走行リーディングエッジを有する短いブレードを組合せることで、従来の長いランナーと比較して水力摩擦が減少した短いランナーとなる。短いランナーにおけるキャビテーションリスクは、許容可能レベル内である。短いランナーは従来の長いランナーより軽量であり、ランナーを製造するための材料コスト及び生産コストを軽減する。
【００２３】
短いブレードのトレーリングエッジは反転されることがある。反転トレーリングエッジは、ブレードのリーディングエッジの方向に曲がった湾曲部を有する。湾曲部は、ランナーのバンドからクラウンまでトレーリングエッジの全長に沿って延びている。反転トレーリングエッジは、特にブレードの中間領域（mid-span regions）において、疑似ストリームライン１７、１９に沿うブレードの長さを減少させる。ブレードの長さを短くすることは、ブレードの湿潤表面積を減少させ、それによって、水力摩擦を減少させる。
【００２４】
短いランナーは、既存のランナーを取り換えるために、特に、既存の水力タービンにおいて、ランナーを挿入すべき利用可能なスペースがほとんどない場合に使用される。短いランナーは、従来のタービンを生産する際のサイズ及びコストより、サイズを減少させ、材料コスト及び生産コストを軽減させる、新しいタービンアセンブリのデザインをも可能にする。
【００２５】
短いランナーは、バンド、クラウン、前方走行リーディングエッジを有する短いブレードの列、及び１７％（０．１７）未満のバンド長さ比率を含む。さらにブレードのトレーリングエッジは反転されていてもよく、すなわち、クラウンとバンドとの間のリーディングエッジの方向に曲がっていてもよい。
【００２６】
バンドレス（シュラウドレス）タービンランナーは、クラウン、前方走行リーディングエッジを有する短いブレードの列、及び１７％（０．１７）未満の外縁長さ比率を有するランナーの外周を含む。さらにブレードのトレーリングエッジは反転されていてもよい。
【図面の簡単な説明】
【００２７】
【図１】は、ステーベーンとガイドベーンを備える分配器、ランナー、ドラフトチューブ、及びらせんケーシングを有する従来の垂直フランシスタービンの側面図であり、一部は断面で示されている。
【００２８】
【図２】は、フランシスタービンのための従来のランナーの概略図を示す側面図である。
【００２９】
【図３】は、従来のランナーの底面図である。
【００３０】
【図４】は、短いバンド及び短いブレードを有する短いランナーの概略を示す側面図である。
【００３１】
【図５】は、図４に示した短いランナーの底面図である。
【００３２】
【図６】は、図４に示したランナーの上面図であり、図中、クラウンはブレードを図示する目的で破線で示されている。
【００３３】
【図７】は、ランナーブレードの斜視図であり、リーディングエッジを示しており、疑似ストリームラインがブレードの表面に描かれている。
【００３４】
【図８】は、図７に示したランナーブレードの斜視図であり、ブレードの上から下への図を提供している。
【００３５】
【図９】は、図１に示したランナーブレードの斜視図であり、トレーリングエッジの図を提供している。
【００３６】
【図１０】は、短いランナーブレードの子午線図（meridional view）である。
【００３７】
【図１１】は、短いランナーの別の実施態様の側面及び底面の斜視図である。
【００３８】
【図１２】は、図１１に示した短いランナーの断面図である。
【００３９】
【図１３】は、反転トレーリングエッジを有する短いランナーの別の実施態様の側面及び底面の斜視図である。
【００４０】
【図１４】は、図１３に示した短いランナーの断面図である。
【００４１】
【図１５】は、短いランナーの水力効率と従来の長いランナーの水力効率とを比較したグラフである。
【図面の詳細な説明】
【００４２】
図４及び図５は、前方走行リーディングエッジを有するブレード３０を備えるフランシスタービンのための短いランナー２６を図示している。短いランナー２６は、軸２８の周りを方向（Ｒ）に回転する。バンド長さ比率（Ｌ／Ｄ）は、１７％（０．１７）未満であり、１５％（０．１５）未満であってもよく、１１％〜７％（０．１１〜０．０７）の範囲であってもよい。
【００４３】
短いランナー２６は、ランナーブレード３０の環状列、環状バンド３２及びクラウン３４を含む。方向（Ｒ）は、ランナー２６をクラウン３４から見たときに時計回りの方向である。クラウン３４は、ランナー２６の軸２８に沿ってバンド３２に向かって延びている回転面を有してもよい。それぞれのブレード３０は、リーディングエッジ３６及びトレーリングエッジ４０を含む。
【００４４】
リーディングエッジ３６は、ランナー２６への上流入口にあり、水又は他の液圧流体（hydraulic fluid）のためのらせんケーシング及び分配器から下流にある。トレーリングエッジ４０は、ランナー２６の下流端にあり、ランナー２６の下流にあるドラフトチューブに面している。実線の疑似ストリームライン１７は、ブレード図の吸い込みサイド上に示され、破線の疑似ストリームライン１９は、ブレード図の圧力サイド上に示されている。疑似ストリームライン１７、１９は、図示の目的のためのものであり、ブレードの表面上の構造物を指しておらず、実際のストリームラインを表してもいない。
【００４５】
それぞれのブレード３０の第１エッジ３３は、クラウン３４の外表面に固定され、第２エッジ３８は、バンド３２の内表面に固定されている。第１エッジ３３のコーナーＰ及びＳは、クラウンの外表面の上流領域及び下流領域にそれぞれある。コーナーＱ及びＴは、バンド３２の上流領域及び下流領域にそれぞれある。
【００４６】
バンド長さＬは、従来のバンドと比較して短い。より短いバンド長さＬに適合するために、ブレード長さはエッジ３８に沿って短くされた。図２と図４を比較すると、短いランナー２６のバンド長さＬ及びブレード３０のエッジ３８の長さが、長いランナー９のブレード１０より短いことを示している。
【００４７】
破線の疑似ストリームライン１９および実線の疑似ストリームライン１７により図示されているように、ブレード３０の湾曲部は、短いエッジ３８及び短いバンド３２に適合するようなプロポーションを有する。
【００４８】
図６は、それぞれのブレード３０の前方走行リーディングエッジ３６を図示する。前方走行リーディングエッジ３６において、バンド３２におけるエッジのコーナーＱは、クラウン３４におけるコーナーＰの前に、ランナーの回転Ｒの方向に角度をつけて存在する。すくい角（θ）は、短いランナー２６の軸２８からコーナーＱとコーナーＰの方向に測定された、ブレード３０のリーディングエッジ３６のコーナーＱとコーナーＰとの間の角度である。正のすくい角は、コーナーＰが回転方向ＲにコーナーＱの前方であるときに存在する。図６に示されるような負のすくい角（θ＜０°）は、前方走行リーディングエッジを示す。
【００４９】
前方走行リーディングエッジジャンクションＱは、ブレードの水力負荷を、バンド３２からクラウン３４の方向にシフトさせる。このシフトは、バンド３２の近くの水力負荷を減少させ、それによってバンド３２におけるキャビテーションリスク、及びバンド３４の近くのブレード３０の部分におけるキャビテーションリスクを減少させる。クラウン３４の方向への水力負荷のシフトは、ブレード３０のスパンに沿う、より均一な負荷も提供する。
【００５０】
図７、図８及び図９は、短いランナー２６におけるブレード３０の異なる視点からの図である。ブレード３０は、ブレード３０の吸い込みサイドに向かってみる角度で見た図７に示す図においては、「Ｖ」形状であるように見える。ブレード３０のエッジ３３は、クラウンンに取り付けられ、エッジ３８は、バンドに取り付けられている。ブレードのコーナーＰ、Ｑ、Ｓ及びＴは、図４、図５及び図６に示すコーナーに相当する。
【００５１】
図１０は、図７〜図９に示したブレード３０のリーディングエッジ３６及びトレーリングエッジ４０を示すための短いランナーの子午線図である。ブレード３０のエッジ３３は、クラウン３４の外表面を示している輪郭線４２に接して示されている。ブレード３０の反対のエッジ３８は、バンドの内表面の輪郭線４４に接している。図の垂直軸（Ｚ）は、回転軸を示し、水平半径（ｒ）は、ランナーの軸２８から、トレーリングエッジのバンドとのジャンクション(ポイントＴ)までの距離を示す。
【００５２】
短いブレード３０におけるトレーリングエッジ４０の反転は、トレーリングエッジのコーナーＳとコーナーＴとの間の直線４６と比較して、トレーリングエッジ４０の湾曲から明らかである。トレーリングエッジ４０は、ブレード３０のリーディングエッジ３６の方向に湾曲した形状を有する。反転トレーリングエッジと対比して、（図１０において破線で示された）従来のトレーリングエッジ２０は、リーディングエッジ３６から離れて湾曲しており、それによって、直線４６から外側に弓形に曲がっている。
【００５３】
反転トレーリングエッジ４０は、特にブレードの中間（Ｍ）領域においてブレード３０の長さを短くする。ブレード３０を短くすることによって、ブレード３０の湿潤表面積が減少し、それによって、ブレード３０と水との間の水力摩擦が減少する。摩擦が減少することによって、水のエネルギーを、シャフトに適用されるトルクに変換するフランシスタービンの効率を増加させる。
【００５４】
短いランナーの総湿潤表面積は、従来の長いランナーの湿潤表面積と比較して１５パーセント（１５％）又はそれ以上だけ減少する。短いランナーの湿潤表面積の減少は、従来の長いランナーと比較して、より短いバンド及びより短いブレードであることによる。湿潤表面積の減少度は、短いランナーにおけるブレードのトレーリングエッジを反転させることによってさらに大きくなり、例えば２０パーセント（２０％）よりも大きくなる。
【００５５】
水力表面摩擦は、ランナーの湿潤表面上の剪断応力を測定することによって定量される。表面上の剪断応力は、ランナーの湿潤表面上を流れている水とランナー表面との間の摩擦の結果である。表面積を減少させることによって、剪断応力が水により生じ、水力摩擦を生じる領域が減少する。短いランナーの湿潤表面積が減少することによって、長いランナーと比較して、３０パーセント（３０％）又はそれ以上だけ表面上に積分された水力剪断応力を減少させ得る。水力剪断応力の量を減少させることによって、摩擦によるエネルギー損失は減少し、それによって、より多くのエネルギーがトルクに変換され、ランナーのシャフトを駆動する。
【００５６】
図１１及び図１２は、短いランナー４８の別の実施態様を示す。ランナー４８は、シャフト６０を受け入れるように適合されている。ブレード５０のそれぞれは、コーナーＰ及びコーナーＱを備える前方走行リーディングエッジ５２を有する。それぞれのブレード５０のトレーリングエッジ５４は、リーディングエッジ５２から離れて曲がる湾曲部を有するように示されている。クラウンの下流端５８は、ランナー４８の軸２８に垂直である。バンド６２は、フランシスタービンにおける静止底部リングに適合するように段差がある外円筒表面を有する。
【００５７】
図１３及び図１４は、トレーリングエッジ６６を除いて、図１１及び図１２に示す短いランナー４８に類似する短いランナー６４の別の実施態様を示す。短いランナー６４のトレーリングエッジ６６は、リーディングエッジ５２に向って曲がっているトレーリングエッジ６６のエッジＴとエッジＳとの間の湾曲したエッジから明らかなように、反転している。
【００５８】
図１５は、従来の長いランナーの水力効率と、ランナー２６、４８及び６４のような短いランナーの水力効率とをグラフ化して比較したものである。Ｙ軸の水力効率は、従来の長いランナーのピーク効率に正規化されている。Ｘ軸の排出率は、ピーク効率における排出率に正規化されている。短いランナーの能力効率６８は、従来の長いランナーの能力効率７０より一貫して高い。効率は、らせんケーシングの入口において水力システムに入るエネルギーからドラフトチューブの出口において水力システムを離れるエネルギーを引いた値に対するシャフト上でトルクに変換されるエネルギーの比率として定義される。
【００５９】
短いランナーは、水平タービンにおいて使用されることもある。水平タービンのための短いランナーは、ランナーの軸として水平軸を代わりに有する。短いランナーは、垂直タービンにおける短いランナーの利点が水平タービンにおいても見られるように機能する。
【００６０】
さらに、バンドレス（シュラウドレス）ランナーは、短いブレード及び前方走行リーディングエッジを有することがある。バンドレスランナーは、フランシスタービン及びカプランタービン（Kaplan turbine）において使用されることがある。バンドレスランナーの前方走行リーディングエッジは、リーディングエッジが、バンドレスランナーの回転方向において、クラウンと接合する場所の前にあるランナーの外周においてリーディングエッジを有するものとして定義することができる。
【００６１】
短いバンドレスランナーは、１７％（０．１７）未満のランナーの外縁長さ比率を有する。外縁長さ比率（Ｌ／Ｄ）は、ランナーの下部分配器からランナーの外周におけるトレーリングエッジの地点までの間で測定された距離である長さ（Ｌ）と、バンドレスランナーの出口直径、すなわち、ランナーの外周におけるランナーの直径（Ｄ）との比率である。
【００６２】
バンドレスランナーにおける短いブレードの外周エッジは、静止ケーシングの底部リングの表面に面するように適合されていてもよく、ブレードは、水がブレードの外縁エッジと静止ケーシングの表面との間を流れないように適合されていてもよい。例えば、短いブレードの外周エッジは、静止表面に対してシールを形成してもよい。短いバンドレスランナーは、バンドを備える短いランナーと同様の利点を有する。
【００６３】
タービンにおける短いランナーの利点は、これらに限られるものではないが、より軽量のランナーを提供すること、水力摩擦を減少させること、水力効率を増加させること、及び許容可能なキャビテーションン挙動を維持することを含む。
【００６４】
本発明を現在最も実用的で好ましいと考えられる実施態様との関係で説明したが、本発明は開示された実施態様に制限されるものではなく、添付の特許請求の範囲内に含まれる種々の変更及び等価な改良に及ぶことを意図していることを理解されたい。
【図１】
0006605018.tif 000002
【図２】
0006605018.tif 000003
【図３】
0006605018.tif 000004
【図４】
0006605018.tif 000005
【図５】
0006605018.tif 000006
【図６】
0006605018.tif 000007
【図７】
0006605018.tif 000008
【図８】
0006605018.tif 000009
【図９】
0006605018.tif 000010
【図１０】
0006605018.tif 000011
【図１１】
0006605018.tif 000012
【図１２】
0006605018.tif 000013
【図１３】
0006605018.tif 000014
【図１４】
0006605018.tif 000015
【図１５】
0006605018.tif 000016